Podtech/llm-jp-corpus-v4-ja_patent huggingface dataset:
(57)【要約】【課題】ブラジャー等の乳房力ップ部を有する衣類に対し、乳房の水平方向の動きを支持する機能を有する乳房支持具を提供する。【解決手段】乳房カップ部１、乳房支持具２及び前面土台部３等から構成されるブラジャー等の乳房カップ部を有する衣類の、乳房支持具２の乳房カップ外側縁横幅２ａが乳房カップ内側縁横幅２ｂより広いという構造を特徴とした、乳房の水平方向の動きを支持する機能を有する乳房支持具。【選択図】図１
0003121316.tif 000002
【実用新案登録請求の範囲】
【請求項１】
ブラジャー等の乳房カップ部を有する衣類において、乳房支持機能を備える目的で装置する乳房支持具の、乳房カップ外側縁横幅を乳房カップ内側縁横幅より広い構造としたことを特徴とする、ブラジャー等の乳房カップ部を有する衣類に装置する乳房支持具。
【考案の詳細な説明】
【技術分野】
【０００１】本考案は、ブラジャー等の乳房カップ部を有する衣類の乳房支持具に関するもので、特に日常動作等に伴う乳房の水平方向の動きを支持する機能を備えた、乳房支持具に関するものである。
【背景技術】
【０００２】体幹で日常動作等の影響を受け、最も水平方向に移動するのが乳房である。しかし、従来のブラジャー等の乳房カップ部を有する衣類の乳房支持具には、乳房の水平方向の動きを支持するために肝要である乳房の水平方向支持機能が不足していた。
【考案の開示】
【考案が解決しようとする課題】
【０００３】このため、従来のブラジャー等の乳房カップ部を有する衣類では、日常動作等に伴う乳房の水平方向の動きを支持する機能が不足するという問題があった。本考案は、日常動作等に伴う乳房の水平方向の動きを支持する機能が不足するという問題を解決したブラジャー等の乳房カップ部を有する衣類の乳房支持具を提供することを目的とする。
【課題を解決するための手段】
【０００４】そこで、ブラジャー等の乳房カップ部を有する衣類に、日常動作等に伴う乳房の水平方向の動きを支持する機能が不足するという問題を解決するため、ブラジャー等の乳房カップ部を有する衣類の、乳房支持具の乳房カップ外側縁横幅を乳房カップ内側縁横幅より広い構造とし、日常動作等に伴う乳房の水平方向の動きを支持する機能が不足するという問題を解決したブラジャー等の乳房カップ部を有する衣類の乳房支持具を提供する。［図１］
【考案の効果】
【０００５】本考案のブラジャー等の乳房カップ部を有する衣類の乳房支持具は、日常動作等に伴う乳房の水平方向の動きを支持する機能が不足するという問題を解決したブラジャー等の乳房カップ部を有する衣類を提供できる。
【考案を実施するための最良の形態】
【０００６】以下、図面を用い本考案の実施例を説明するが、本考案はこれに限定されるものではない。【０００７】［図１］は、本考案の一実施例であるブラジャーの正面図である。乳房は自ら動く機能を有しないが、日常動作等の影響を受けて、体幹上部で最も移動、またその形状や組織等により外圧等で容易に変形する器官である。ゆえに、ブラジャーの機能として求められる乳房の形状を美しく表現する役割において、日常動作等に伴う乳房の水平方向の動きを支持する機能が不足するという問題の解決は重要となる。そこで、乳房カップ部１、乳房支持具２及び前面土台部３等から構成されるブラジャーに装置する乳房支持具２の乳房カップ外側縁横幅２ａを乳房カップ内側縁横幅２ｂより広い構造とすることで、乳房の水平方向の動きを支持する機能が得られ、日常動作等に伴う乳房の水平方向の動きを支持する機能が不足するという問題を解決した。
【図面の簡単な説明】
【０００８】
【図１】本考案の一実施例であるブラジャーの正面図である。
【符号の説明】
【０００９】１  乳房カップ部
２  乳房支持具
２ａ  乳房カップ外側縁横幅
２ｂ  乳房カップ内側縁横幅
３  前面土台部
【図１】
0003121316.tif 000003
(57)【要約】【課題】ブラジャー等の乳房カップ部を有する衣類に対し、乳房の垂直方向の動きを支持する機能を有する乳房支持具を提供する。【解決手段】乳房カップ部１、乳房支持具２及び前面土台部３等から構成されるブラジャー等の乳房カップ部を有する衣類の、乳房支持具２の乳房支持具前後幅２ａが乳房支持具上下幅２ｂより広いという構造を特徴とした、乳房の垂直方向の動きを支持する機能を有する乳房支持具。【選択図】図１
0003121315.tif 000002
【実用新案登録請求の範囲】
【請求項１】
ブラジャー等の乳房カップ部を有する衣類において、乳房支持機能を備える目的で装置する乳房支持具の、乳房支持具前後幅を乳房支持具上下幅より広い構造としたことを特徴とする、ブラジャー等の乳房カップ部を有する衣類に装置する乳房支持具。
【考案の詳細な説明】
【技術分野】
【０００１】本考案は、ブラジャー等の乳房カップ部を有する衣類の乳房支持具に関するもので、特に日常動作等に伴う乳房の垂直方向の動きを支持する機能を備えた、乳房支持具に関するものである。
【背景技術】
【０００２】体幹で日常動作等の影響を受け、最も垂直方向に移動するのが乳房である。しかし、従来のブラジャー等の乳房カップ部を有する衣類の乳房支持具には、乳房の垂直方向の動きを支持するために肝要である乳房の垂直方向支持機能が不足していた。
【考案の開示】
【考案が解決しようとする課題】
【０００３】このため、従来のブラジャー等の乳房カップ部を有する衣類では、日常動作等に伴う乳房の垂直方向の動きを支持する機能が不足するという問題があった。本考案は、日常動作等に伴う乳房の垂直方向の動きを支持する機能が不足するという問題を解決したブラジャー等の乳房カップ部を有する衣類の乳房支持具を提供することを目的とする。
【課題を解決するための手段】
【０００４】そこで、ブラジャー等の乳房カップ部を有する衣類に、日常動作等に伴う乳房の垂直方向の動きを支持する機能が不足するという問題を解決するため、ブラジャー等の乳房カップ部を有する衣類の乳房支持具の乳房支持具前後幅を乳房支持具上下幅より広い構造とし、日常動作等に伴う乳房の垂直方向の動きを支持する機能が不足するという問題を解決したブラジャー等の乳房カップ部を有する衣類の乳房支持具を提供する。［図１］
【考案の効果】
【０００５】本考案のブラジャー等の乳房カップ部を有する衣類の乳房支持具は、日常動作等に伴う乳房の垂直方向の動きを支持する機能が不足するという問題を解決したブラジャー等の乳房カップ部を有する衣類を提供できる。
【考案を実施するための最良の形態】
【０００６】以下、図面を用い本考案の実施例を説明するが、本考案はこれに限定されるものではない。【０００７】［図１］は、本考案をブラジャーに用いた一実施例を説明するための、乳房支持具２、乳房支持具前後幅２ａ及び乳房支持具上下幅２ｂ等の乳房カップ部１中央垂直断面図である。乳房は自ら動く機能を有しないが、体幹上部に位置するため、呼吸運動や上肢の日常動作および重力等の影響を受けて、体幹上部で最も移動、またその形状や組織等により外圧等で容易に変形する器官である。ゆえに、ブラジャーの機能として求められる乳房の形状を美しく表現する役割において、呼吸運動や上肢の日常動作等に伴う乳房の垂直方向の動きを支持する機能が不足するという問題の解決は重要となる。そこで、乳房カップ部１、乳房支持具２及び前面土台部３等から構成されるブラジャーに装置する乳房支持具２の乳房支持具前後幅２ａを乳房支持具上下幅２ｂより広い構造とすることで、乳房の垂直方向の動きを支持する機能が得られ、呼吸運動や上肢の日常動作等に伴う乳房の垂直方向の動きを支持する機能が不足するという問題を解決した。
【図面の簡単な説明】
【０００８】
【図１】本考案の一実施例であるブラジャーの乳房カップ部中央垂直断面図である。
【図２】本考案の一実施例であるブラジャーの正面図である。
【符号の説明】
【０００９】  １  乳房カップ部
２  乳房支持具
２ａ  乳房支持具前後幅
２ｂ  乳房支持具上下幅
３  前面土台部
【図１】
0003121315.tif 000003
【図２】
0003121315.tif 000004
(57)【要約】      （修正有）【課題】差し込み角度を無造作に挿し込んでも倒れたりせず、初心者でも生ける形に専念できるワンタッチ生け花用の花器を提供する。【解決手段】磁性体を固着した棚部を有する花器と複数の窓を有し、磁性体を取付けた上部位置規制板と、複数の窓または凹部を形成した下部位置規制板を上部と下部に形成して、これを固着または着脱可能に取りつけた花器。【選択図】図１
0003121311.tif 000002
【実用新案登録請求の範囲】
【請求項１】
花器の内側周囲の全体または部分的に巡らす棚部が形成され、該棚部に第１の磁性体が固着され、上部位置規制板には第２の磁性体が第１の磁性体に吸い付く位置に固着され、下部位置規制板は複数の窓又は凹部を有する平板であり、花器の内側底面近傍または内側底面に固着または一体化して形成された、茎の傾き止め容易な花器。
【請求項２】
上部位置規制板を花器の内側に脱着可能に取付ける方法として、花器の内側周囲に巡らす棚部が形成され、該棚部に切欠き部が設けられ、該切欠き部に嵌まり込む寸法に上部位置規制板に凸部が形成され、該切欠き部に前記凸部が挿し込まれる様に棚部に乗せ装着され、下部位置規制板が請求項１と同様の構造で形成された、茎の傾き止め容易な花器。
【請求項３】
前記凸部が、棚部の切欠き部の厚み寸法より少し長い垂直寸法の下で屈曲する形状の鉤型凸部であり、上部位置規制板の該鉤型凸部を前記棚部の切欠き部に挿し込んで棚部に乗せて該上部位置規制板を水平にシフトして前記棚部に固定する鉤型凸部である請求項２記載の、茎の傾き止め容易な花器。
【考案の詳細な説明】
【考案の詳細な説明】
【産業上の利用分野】
【０００１】この考案は生け花の練習が容易な、初心者用の花器に関するものである。
【背景技術】
【０００２】  従来は花瓶や水盤の底に、針を密集し多植した剣山と称する補助具を沈めて、その針に生ける茎を差し込んで茎の傾きを止めていた。
【考案の開示】
【考案が解決しようとする課題】
【０００３】  従来は、生け花を習い初めた人が花の茎を固定するのが難しい欠点があった。針を密に多植した剣山に茎を傾斜させて挿し込む方法が用いられていたが、軟らかい茎には針の為に茎が裂けて倒れてしまう欠点があり、硬い茎や軸木の場合は初心者の指先の力加減が難しく指に剣山の針先で傷を付ける事もあった。  本考案は、この欠点を除去して、花の茎や軸木を思い通りの傾斜角度に容易に固定して、初心者でもワンタッチで傾きが決まる生け花が出来るよう改良した花器の構造に関する。
【課題を解決するための手段】
【０００４】  花の茎または軸木の位置規制板を上部と下部に設けて、上位置の穴と下位置の穴がつくる１本の線の傾斜角度を茎の傾きとして利用する。位置規制板の形状は、平板に複数の窓（または穴）を空けて軸木が貫通できる形とし、請求項１に関しては、上部位置規制板を花器の内側に脱着可能に取付ける方法として、花器の内側周囲の全体または部分的に幅１ｃｍ程度に巡らす棚部を形成して、該棚部にプラスチック磁石やゴム磁石などの第１の磁性体を固着し、上部位置規制板に第２の磁性体を固着して、第１の磁性体が、上部位置規制板の第２の磁性体に吸い付くように配設した。下部位置規制板は、平板に複数の窓を空けて軸木が貫通できる形の平板として、これを花器の内側底面近傍または内側底面に固着または、内側底面そのものに複数の凹部を形成しここに軸木の端が当たり、軸木の水平位置が規制される様にした。
請求項２に関しては、上部位置規制板を花器の内側に脱着可能に取付ける方法として、花器の内側周囲に幅１ｃｍ程度に巡らす棚部を形成して、棚部に切欠き部を形成し、該切欠き部に嵌まり込む寸法に上部位置規制板に凸部を形成し、上部位置規制板の凸部を挿し込んで棚部に乗せるようにした。下部位置規制板は前記と同様とした。
請求項３に関しては、上部位置規制板を花器の内側に脱着可能に取付ける方法として、花器の内側周囲に幅１ｃｍ程度に巡らす棚部を形成して、棚部に切欠き部を形成し、該切欠き部に嵌まり込む寸法に上部位置規制板に屈曲した凸部を形成する。この凸部は、該切欠き部の厚み寸法より少し長い垂直寸法の下で屈曲する形状とサイズの鉤型凸部とし、上部位置規制板の鉤型凸部を前記棚部の切欠き部に下方に挿し込んで棚部に乗せて、水平にシフトして固定するようにした。下部位置規制板は前記と同様とした。
【考案を実施するための最良の形態】
【０００５】    第１の実施の形態を断面図で示した図１において、上部位置規制板１は、複数の丸や矩形の窓を有する厚さ寸法を略１乃至１０ｍｍに成形した粘土板を焼成した平板状のものである、その両端または周辺の下面にプラスチック磁石などの第２の磁性体を固着した。これを花器２の上部内面に装着するため、花器の内側周囲の全体または部分的に幅１ｃｍ程度に巡らす棚部３を形成して、該棚部の上面にプラスチック磁石やゴム磁石などの第１の磁性体４を固着し、上部位置規制板に第２の磁性体５を固着して、第１の磁性体が、上部位置規制板の第２の磁性体に吸い付くように配設した。下部位置規制板１０は、平板に複数の窓を空けて軸木が貫通できる形の平板として、これを花器の内側底面近傍または内側底面に固着または、内側底面そのものに複数の凹部を形成し、ここに軸木の端が当たり、軸木の水平位置が規制される様にした。第１の磁性体または、第２の磁性体のどちらかを鉄片としても着脱でき同様の効果があり有効である。【０００６】    図２に示す他の実施例では、上部位置規制板１を花器２の内側に脱着可能に取付ける方法として、花器の内側周囲に幅１ｃｍ程度に巡らす棚部３を形成して、棚部に切欠き部６を形成し、該切欠き部６に嵌まり込む寸法に上部位置規制板１に凸部７（この拡大図を図３（Ａ）に示す）を形成し、上部位置規制板の凸部を挿し込んで棚部に乗せるようにした。下部位置規制板１０は前記と同様とした。【０００７】  請求項３に関しては、図３（Ｂ）に要部を示すように、上部位置規制板を花器の内側に脱着可能に取付ける方法として、花器の内側周囲に幅１ｃｍ程度に巡らす棚部を形成して、棚部に切欠き部を形成し、該切欠き部に嵌まり込む寸法に上部位置規制板１に屈曲した鉤型凸部８を形成する。この鉤型凸部８は、図２（Ｂ）該切欠き部６の厚み寸法より少し長い垂直寸法ｔ２の下で屈曲する形状とサイズの鉤型凸部８とし、上部位置規制板１の鉤型凸部を前記棚部３の切欠き部に下方に挿し込んで棚部に乗せて、水平にシフトして固定するようにした。ｔ２は該切欠き部近傍の厚み寸法より少し長い寸法である。
【考案の効果】
【０００８】  生け花の茎や軸木が思いどうりに傾斜させて止めることが出来、初心者には生ける形の追求に専念出来て技量が早く上達できる効果がある、着脱可能な上部位置規制板は洗浄作業にも便利である。
【図面の簡単な説明】
【図１】本発明による実施例の断面図。
【図２】本発明による第２の実施例を示す断面図（Ａ），および要部拡大図（Ｂ）。
【図３】本発明による実施例の要部断面図（Ａ），および断面図（Ｂ）。
【符号の説明】
１  上部位置規制板
２  花器
３  棚部
４  第１の磁性体
５  第２の磁性体
６  切欠き部
７  凸部
８  鉤型凸部
１０  下部位置規制板
【図１】
0003121311.tif 000003
【図２】
0003121311.tif 000004
【図３】
0003121311.tif 000005
(57)【要約】      （修正有）【課題】本考案は一般的紙製使い捨てショーツの様にゴムは入れず、伸縮ネットの代用で着脱を可能にし、素材の重なりが少なく充足した使用感が得られファッション性も高くなるショーツの提供。【解決手段】本考案は紙ショーツを股間部で貼り合わせ、更に股間部のみ二重にする。紙ショーツの両側面裁断部分に伸縮ネットを両面テープで固定する。ショーツ型裁断紙に伸縮ネットを組み合わせる事でファッション性の高い使い捨てショーツになる。【選択図】図５
0003121306.tif 000002
【実用新案登録請求の範囲】
【請求項１】
本考案品は、柔らかくかつ破れにくい紙と伸縮ネットの組み合わせから構成されているファッション性の高い使い捨てショーツである。紙をショーツ型に裁断し、前後身頃両側裁断部の間に伸縮ネットをあて接着、その伸縮性で着脱が容易に出来ることを特徴とするショーツである。
【考案の詳細な説明】
【技術分野】
【０００１】本考案は、肌触りが良く破れにくい紙と伸縮性に富んだネットの組み合わせで、ファッション性豊かで快適な使用感が求められる使い捨てショーツに関するものである。
【背景技術】
【０００２】旅行や入院など外泊時の洗濯は煩わしいが、洗っても乾かないこともあった。出来れば汚染されたものは持ち歩きたくない。しかし従来の布製を破棄するのには抵抗感がある。安価な上にコンパクトでファッション性に優れた使用感の良い使い捨てショーツを求めていた。
【考案の開示】
【考案が解決しようとする課題】
【０００３】本考案に類似考案の多くは、商品に伸縮性や機能面を中心に作られている為、デザインの殆どは重視されていなかった。使用目的の方が先行しファッション面は軽視傾向にあり、一般的受け入れはあまり良くなかった。従来の紙ショーツの様にウエスト部や大腿部にゴムを入れると装着時に素材が重なりゴワゴワして使用感は悪く、美的さにも欠ける。また両サイドを結束紐や接着テープなどで固定する方法には煩わしさが伴い、充分な満足は得られなかった。従って本案はそれら不便の欠点を解決しようとするものである。
【課題を解決するための手段】
【０００４】前述課題を解決する為には、着脱に必要な伸縮に対して本体に直接ゴムを入れずに伸縮率の大きなネットを使用することで、すっきりとしたファッショナブルなものになるのである。最低限の裁断紙と伸縮ネットの組み合わせで問題点を解決するものである。
【考案の効果】
【０００５】素材の特徴から切り口や接合部に縫い目を必要としないため、ショーツラインの影響を及ぼしにくい。本考案品の適度な密着感は使用時の快適さとファッション性を高める効果がある。
【考案を実施するための最良の形態】
【０００６】紙ショーツを作成するにあたり前身頃と後身頃の２枚に裁断し、後身頃の大腿上部分は波型に裁断する。股間部を貼り合わせ、その裏側に当たる部分は二重紙にする。前後身頃両側面裁断部の間に伸縮ネットを接着する。
【実施例】
【０００７】以下、添付図面に従って一実施例を説明する。図１と図２は柔らかく破れにくい素材から構成された裁断紙ショーツ。図１と図２の股間部を裏面から貼り、更に図４を接着する。図１と図２の両側面裁断部に１を２で固定する。
【産業上の利用可能性】
【０００８】本考案のワンデーショーツは従来の使い捨てショーツのイメージを一新し、常時、非常時、いずれにおいても携帯に便利でおしゃれな使い捨てショーツとして必需品となるであろう。普段着用は勿論、旅行や入院などの外泊時、ボディマッサージ施術時及び医療現場、更に災害時など使用場面は多く利用価値は高い。入手に関しては衣料品店の他、コンビニエンスストアーやホテルなどでも購入できれば清潔へのライフスタイルは向上する可能性がある。
【図面の簡単な説明】
【０００９】
【図１】本考案の実施例を示す前面ショーツ裁断図である。
【図２】本ショーツ後面裁断図である。
【図３】本ショーツの作成過程図の展開図である。
【図４】本ショーツ股間二重部である。
【図５】本ショーツの出来あがり図である。
【符号の説明】
【００１０】  １  伸縮ネット
２  接着テープ
【図１】
0003121306.tif 000003
【図２】
0003121306.tif 000004
【図３】
0003121306.tif 000005
【図４】
0003121306.tif 000006
【図５】
0003121306.tif 000007
(57)【要約】【課題】便秘を早めに解消できるようにする。【解決手段】  浮き形をした便秘解消用具であって、先端部が肛門に差し込む太さの硬質チーュブとなっており、上端部の開口部にねじ込みキャップを取り付けられる便秘解消用具。【選択図】図１
0003121307.tif 000002
【実用新案登録請求の範囲】
【請求項１】
浮き形をした便秘解消用具であって、先端部が肛門に差し込む太さの硬質チューブとなっており、上端部の開口部にねじ込みキャップを取り付けられる便秘解消用具。
【考案の詳細な説明】
【技術分野】
【０００１】  本考案は、便秘の時に排便できる浣腸形用具です。
【背景技術】
【０００２】  従来の浣腸は、薬剤を使用１回で使い捨てです。
【考案の開示】
【考案が解決しようとする課題】
【０００３】  便秘は、体の第二の脳と言われている、腸をいためてしまいます。便秘を早めに解消することによって、体調がよくなります。
【課題を解決するための手段】
【０００４】  ぬるま湯を使用して、便を軟らかくして排便をうながすために、体に負担が少なく、ビニール用具にキャップを付けて繰り返し使用することが出来ます。家庭で簡単に使用できます。
【考案の効果】
【０００５】  私の息子が不登校になり、うつ病になり便秘が４日、５日と、６日目は物にあたり、そこで市販されている薬剤入りの浣腸を使用し、しかし、肛門がはれ効き目も悪くなり、今考案した簡易形を使用した。今は息子は物に当たらなくなりました。簡易形浣腸は水がもれ使いずらい、是非商品化をして欲しいです。脳にとっても大事だとおもいます。
【考案の実施するための最良の形態】
【図面の簡単な説明】
【０００８】
【図１】本考案の便秘解消用具の全体図である。
【符号の説明】
１  キャップ
２  ビニール
３  硬質ビニール
【図１】
0003121307.tif 000003
(57)【要約】      （修正有）【課題】通常のパソコンで一般のプリント用紙と同じ操作で利用でき、簡単に、速く、低価格で作成できるプリント媒体を提供する。【解決手段】ＩＤペンダントを発行するにはパソコンとインク式カラープリンターを利用して、本考案のプリント媒体へ印刷する。プリント結果であるコイン型用紙をＩＤペンダント・ホルダーへ挿入することＩＤペンダントが作成できる。【選択図】図１
0003121308.tif 000002
【実用新案登録請求の範囲】
【請求項１】
（１）準水平型インク式カラープリンターを利用して、表面用・裏面用のコイン型用紙へ印刷できる。
（２）コイン型用紙は表面にプリント可能とし、裏面は粘着性はないものである。
（３）このプリント媒体は２層にしてあり、１層目は比較的厚い紙でコイン型の穴を開けてある。２層目は粘着シールが貼り付けてある。
（４）１層目の穴部分にコイン型用紙を貼付けてある。
（５）一度プリントした後、再び未プリントのコイン型用紙を貼ることにより再利用できる。
（６）コイン型用紙は、利用する条件により形の種類は正方形、長方形、ハート型、楕円形等もある。
を特徴とするプリント媒体。
【考案の詳細な説明】
【技術分野】
【０００１】この発案は、パソコンと準水平型インク式カラープリンターを用いて印刷した媒体のコイン型用紙をペンダント・ホルダーに挿入して利用するためのプリント媒体である。
【背景技術】
【０００２】従来は、インク式カラープリターで汎用サイズ用紙に印刷し、丸型、四角型等の刃型で抜いてペンダント・ホルダーに挿入または貼り付けていた。この方法では刃型で抜く機器が必要となり、かつ正確な抜き取りを一般のユーザー自身ではできなかった。
【考案の開示】
【考案が解決しようとする課題】
【０００３】本案は、パソコンと準水平型インク式カラープリンターを利用してオリジナルデザインのＩＤペンダントを、現場で、いつでも、簡単に、１枚のみでも、低価格で、両面同時に作成できるプリント媒体と方法を提供することである。
【課題を解決するための手段】
【０００４】その解決手段を図面から説明すれば、ＩＤペンダントサイズに合わせたコイン型用紙を貼り付けたプリント媒体（図１）を準備する。パソコンの入力画面テンプレイトに合わせてデータ（図形、写真、文字、バーコード、二次元コード等）を入力する。そのデータをプリンターへ送信する。プリンターではプリント媒体に高精細に表面用、裏面用を同時に印刷する。印刷後にコイン型用紙を台紙から剥がし、ペンダント・ホルダーの表側と裏側に挿入し、裏蓋をはめ込んでＩＤペンダントが出来上がる。
【考案の効果】
【０００５】従来はペットの首輪に写真、ＱＲコード、住所、氏名等を記載できるスペースを確保できなかった。また作成するは専門業者へ依頼した場合、特注扱いとなり作成所要日数も数週間かかり、かつ実用的な価格での提供ができなかった。それを通常のパソコンで、かつ安い価格で作成することができるようになる。
【考案を実施するための最良の形態】
【実施例】
【０００６】実施例について図を参照して説明する。【０００７】図１は高精細にプリントできるコイン型用紙２枚と台紙で構成されるプリント媒体の斜視図である。【０００８】プリント媒体のコイン型用紙にはフルカラーで高精細にプリントができ、かつ裏面には接着機能のないものにしてある。
図２はプリント媒体の断面図である。プリント媒体の図１の２（台紙）にはＩＤペンダントの裏面、表面用のコイン型用紙が入る大きさの穴を抜き取ってある。コイン型用紙は高精細印刷できる紙またはフィルムのプリント媒体である。【０００９】図３はプリント媒体をプリンターのホッパー部分にセットにした状態である。【００１０】準水平型インク式カラープリンターの印刷所要時間はプリンター機種によるが約２０秒が目安である。図４はプリントした結果である。【００１１】図５は印刷後のコイン型用紙をＩＤペンダント・ホルダーに挿入した状態の断面図である。
断面図の左側が表面用のコイン型用紙で、右側が裏面用にしてある。
表面用コイン型用紙と裏面用コイン型用紙の間に発生する空間を利用して、ＩＤの属性情報をプリントした用紙を挿入することができる。これにより、より詳細な情報を組み入れることができる。【００１２】図６は、完成したＩＤペンダント・ホルダーの正面図と裏面図である。
【図面の簡単な説明】
【００１５】
【図１】印刷用媒体２枚を取り付けたプリント媒体の鳥瞰図である。
【図２】プリント媒体の断面図である。
【図３】プリント媒体は、約３０度以内の傾斜の準水平型インク式カラープリンターで印刷することにしており、そのプリント媒体をセットした図である。
【図４】印刷した結果のプリント媒体
【図５】印刷した媒体をＩＤペンダント・ホルダーに組み入れた状態の正面図である。
【図６】完成したＩＤペンダント
【符号の説明】
【００１６】    １    プリント媒体
２    台紙
３    再剥離のシール
４    印刷されるコイン型用紙
５    印刷されるコイン型用紙
６    準水平型インク式カラープリンター
７    印刷結果のプリント媒体
８    ＩＤペンダント・ホルダーと印刷されたプリント媒体の断面図
９    完成したＩＤペンダント・ホルダーの表面
１０  完成したＩＤペンダント・ホルダーの裏面
【図１】
0003121308.tif 000003
【図２】
0003121308.tif 000004
【図３】
0003121308.tif 000005
【図４】
0003121308.tif 000006
【図５】
0003121308.tif 000007
【図６】
0003121308.tif 000008
(57)【要約】      （修正有）【課題】既設の通信ケーブル保護管路の補強を簡単な作業で確実に行える装置を提供する。【解決手段】合成樹脂製の保護管１１を接続筒１２を介して接続して構成した、通信ケーブルの保護管路の、前記保護管１１を弾性樹脂製の割り筒状の第一補強カバー１に内嵌して套装する。そして、該第一補強カバー１の長手方向の端部に、弾性樹脂製の割り筒状の第二補強カバー２を前記接続筒１２を内嵌して重ね合わせ、前記各カバー１，２の適所をバンド体４で巻回して前記保護管１１に締付ける。【選択図】図１
0003121398.tif 000002
【実用新案登録請求の範囲】
【請求項１】
通信ケーブルの保護管路を構成する合成樹脂製の保護管を、割り筒状の補強カバーに内嵌して套装し、弾性樹脂製の該補強カバーの適所をバンド体で巻回して前記保護管に締付けた、通信ケーブル保護管路の保護管の補強装置。
【請求項２】
補強カバーの長手方向に沿う両端に、長手方向に沿う折り返し部を設けた、請求項１記載の通信ケーブル保護管路の保護管の補強装置。
【請求項３】
合成樹脂製の保護管を接続筒を介して接続して構成した、通信ケーブルの保護管路において、前記保護管を弾性樹脂製の割り筒状の第一補強カバーに内嵌して套装し、該第一補強カバーの長手方向の端部に、弾性樹脂製の割り筒状の第二補強カバーを前記接続筒を内嵌して重ね合わせ、前記各カバーの適所をバンド体で巻回して前記保護管に締付けた、通信ケーブル保護管路の保護管の補強装置。
【請求項４】
第二補強カバーの長手方向の両端部表面に保護管の円周方向に沿う一対の突条を設け、該突条間にバンド体を係合した請求項３記載の通信ケーブル保護管路の保護管の補強装置。
【請求項５】
第一補強カバーの長手方向に沿う両端に、長手方向に沿う折り返し部を設けた、請求項３又は４記載の通信ケーブル保護管路の保護管の補強装置。
【考案の詳細な説明】
【技術分野】
【０００１】
本考案は、川岸間に架設した所謂橋梁管や電柱に沿って起立させた立ち上り管など、外界に露出した通信ケーブルの保護管路を構成する、既設の塩化ビニール製の保護管の補強装置に関するものである。
【背景技術】
【０００２】
通信ケーブルは地中内や戸外に敷設するに際しては、合成樹脂（概し、塩化ビニール）製の保護管に挿通させることが一般であるが、当該保護管は前記の橋梁管や立ち上り管として適用したとき、常に露出した状態にあるので、事物との接触等で損傷を受け、保護すべき内部の通信ケーブルに影響を与える場合がある。
【考案の開示】
【考案が解決しようとする課題】
【０００３】
このため、損傷を受けると当該保護管を交替するのが従来から行われていた手法であるが、当該交替作業が煩雑であるのみならず、作業時に通信ケーブルに損傷を与え、重大な事故に直結しかねない虞がある。
【０００４】
本考案は、これらの煩雑さや虞を回避し、既設のケーブル管路（保護管）を、簡単な作業で、確実に補強できる装置を提供すべく案出したものである。
【課題を解決するための手段】
【０００５】
通信ケーブルの保護管路を構成する合成樹脂製の保護管を、割り筒状の補強カバーに内嵌して套装し、弾性樹脂製の（弾性変形のできる樹脂で成る）カバーの適所をバンド体で巻回して前記保護管に締付けた、ことを基本的手段とする。
【考案の効果】
【０００６】
本考案によれば、合成樹脂（通常塩化ビニール）製の保護管に亀裂など交替の必要のない損傷を受けたとき、該保護管に割り筒体を利用して後付けでこれを補強することができ、また、損傷を受けずとも、設置した保護管に対して補強カバーを後付けして補強装置を得られ、従って、耐久的な通信ケーブル管路を提供できる。
【実施例】
【０００７】
図面は本考案に係る、通信ケーブル保護管路の保護管の補強装置の実施例を示し、図１は図２の一部欠截拡大背面図、図２は第一実施例の正面図、図３は第二実施例の正面図である。
【０００８】
図中、１は第一補強カバー、２は第二補強カバーで、第一、第二の補強カバー１，２は弾性かつ耐候性の合成樹脂（概し、ポリエチレン樹脂）を素材とした割り円筒体で成り、第一補強カバー１は長手方向に沿う両端を折り返して長手方向に沿う折り返し部１ａ，１ａを備えたものである。
【０００９】
第二補強カバー２は長手方向に沿う中間部２ａを両端部２ｂ，２ｂ側と比較して大径にし、両端部２ｂには円周方向に沿う一対の突条３，３を設けて構成したものである。
【００１０】
図１および図２は、川岸間に架設した所謂橋梁管を構成する保護管路の保護管に対して本考案装置を適用したもので、この第一実施例の保護管路は、保護管１１，１１を接続筒１２（ジョイント材）で接続して保護管１１に挿通した図示省略の通信ケーブルを保護するもので、第一補強カバー１を、その弾性を利用して拡開するようにして前記保護管１１を内嵌するように該保護管１１に組付け、第一補強カバー１の端部に外側から重ね合わせるようにして第二補強カバー２を保護管１１，１１間の接続筒１２に、その弾性を利用して該接続筒１２を内嵌するようにして組付け、該第二補強カバー２に設けた前記の突条３，３間には適宜のバンド体４を係合してカバー１，２を巻回して締め付けて実施例の構成としたものである。
【００１１】
図３で示す第二実施例は、接続筒部が地下間近に存する電柱用立ち上り管で構成した保護管路に本考案を適用したもので、この実施例の場合は、接続筒１２部と該接続筒１２部より上方の保護管１１を、第一補強カバー１と該カバー１の下端部に組合わせた第二補強カバー２とで内嵌、套装して補強した構造としたものである。
【００１２】
なお、接続筒１２を備えないで保護管１１のみで構成した管路には第一補強カバー１のみを用いて該保護管１１を内嵌、套装し、適所をバンド体４で巻回締め付けて補強装置とする。
【００１３】
突条３，３間にバンド体４を配するようにすると、位置ずれが生じることがなく、また、バンド体締め付け位置の位置決めともなる。
【００１４】
図中、ｂは橋、ｃは法面、ｄは電柱をそれぞれ示す。
【図面の簡単な説明】
【００１５】
【図１】図２の一部欠截拡大背面図。
【図２】第一実施例の正面図。
【図３】第二実施例の正面図。
【符号の説明】
【００１６】
１      第一補強カバー
２      第二補強カバー
１１    保護管
１２    接続筒
【図１】
0003121398.tif 000003
【図２】
0003121398.tif 000004
【図３】
0003121398.tif 000005
(57)【要約】 【課題】従前において鋳物による一体成形で製出されていた竹割器が抱えていた問題点（耐久性、使い易さ等）を解消する。【解決手段】炭素鋼で短円筒状に形成した枠部１内に、放射状で且つ下方へ山形状に突出させた下縁に刃２１を形成した分割切断刃部２を溶着形成すると共に、前記分割切断刃部２の上面中心に打撃受け部２２を突設し、前記枠部１の外周面の側方に把手部３を突設してなり、器具の全体重量が軽くなり、また竹材の切り口（小口）に切断刃部２の中心を一致させて、打撃受け部２２に対してハンマー打撃を加えると、多少打撃位置がずれても、何ら支障なく竹材への喰い込みが行なわれことになる。【選択図】図１
0003121394.tif 000002
【実用新案登録請求の範囲】
【請求項１】
炭素鋼で短円筒状に形成した枠部内に、放射状で且つ下方へ山形状に突出させた下縁に刃を形成した分割切断刃部を溶着形成すると共に、前記分割切断刃部の上面中心に打撃受け部を突設し、前記枠部の外周面の側方に把手部を突設してなることを特徴とする竹割具。
【請求項２】
把手部を、枠部に溶着した心棒部と、柔軟性を備えたゴム質材で前記心棒部の外面を被覆した被覆層部とで構成した請求項１記載の竹割具。
【考案の詳細な説明】
【技術分野】
【０００１】
本考案は、竹材を縦（繊維方向）に多分割する竹割具に関するものである。
【背景技術】
【０００２】
竹材を縦（繊維方向）に多分割する竹割具は、竹塀や竹細工の加工原料となる割り竹を得るために使用されるもので、その構造は、非特許文献１に掲載されているように、短円筒枠部内に放射状で且つ下方へ山形状に突出した切断刃部を備え、前記枠部の外周面の側方に把手部を突設してなるもので、全体を一体とした鋳物で形成されている。
【０００３】
前記器具は、竹材の切り口に切断刃部の中心を一致させて、切断刃部を竹に喰い込ませ、そのまま把手部を持って竹材と共に持ち上げ、全体を適宜な台面に打ちつけて切断刃部を竹材の下方まで移動させ、竹材を所定数に分割するものである。また特に切断刃部を竹材に喰い込ませるために、最初に器具をハンマー等で打撃する場合もある。
【０００４】
【非特許文献１】「竹割道具：２００６年２月１４日検索」インターネット＜ＵＲＬ：http://www.rakuten.co.jp/kminori/340268/340269/＞
【考案の開示】
【考案が解決しようとする課題】
【０００５】
前記の従来器具は、全体を鋳物で形成しているものであるから、相応の強度を確保するためには、短円筒形状の枠部や切断刃部は相応の厚みを必要とし、器具全体が重くなり、取り扱いに不便である。
【０００６】
また前記の非特許文献１の記載においては、切断刃部を竹材に喰い込ませるために、器具にハンマー等で打撃を加えるとされているが、現実にはハンマー打撃によって直ぐに損傷（割れ）してしまい、器具の使用寿命が短いという問題点と、仮にハンマー打撃が可能であったとしても打撃位置がずれると、器具に偏った力が加わり、切断作業がスムーズに行なわれないという問題点もある。
【０００７】
更に鋳物であるため切断刃部が厚くなり、且つ刃先も鋭利とはいえないので、竹の切断端面がささくれ立ってしまう。
【０００８】
そこで本考案は、前記の問題点を一挙に解決する新規な竹割器を提案したものである。
【課題を解決するための手段】
【０００９】
本考案に係る竹割器は、炭素鋼で短円筒状に形成した枠部内に、放射状で且つ下方へ山形状に突出させた下縁に刃を形成した分割切断刃部を溶着形成すると共に、前記分割切断刃部の上面中心に打撃受け部を突設し、前記枠部の外周面の側方に把手部を突設してなることを特徴とするものである。
【００１０】
従って従前器具と同様に、竹材の切り口（小口）に切断刃部の中心を一致させて、打撃受け部に対してハンマー打撃を加えると、中心位置に突出している打撃受け部のみがハンマーの打撃を受けるので、多少打撃位置がずれても、何ら支障なく竹材への喰い込みが行なわれことになり、更に把手部を持って竹材と共に持ち上げ全体を適宜な台面に打ち付けて、切断刃部によって竹材を所定数に分割するものである。
【考案の効果】
【００１１】
本考案に係る竹割具の構成は上記の通りで、器具全体（枠部及び切断刃部）を炭素鋼で形成したものであるから、鋳物製の従来器具に比較して器具全体が軽くなり、且つ耐衝撃性に優れてハンマー打撃が実質的に可能となり、更に打撃受け部の形成等によって器具がより使い易くなったものである。また切断刃部も薄く且つ刃先も鋭利にすることができ、竹の切断端面も奇麗になり、仕上げ加工作業が軽減されるものである。
【考案を実施するための最良の形態】
【００１２】
次に本考案の実施形態について説明する。実施形態に示した竹割具は、枠部１と切断刃部２と、把手部３とで構成される。
【００１３】
枠部１は、炭素鋼板でリング状（短円筒状）に形成されるもので、この枠部１内に切断刃部２を溶着する。
【００１４】
切断刃部２は、炭素鋼板を十文字状（四分割構成）に組み合わせると共に、下方中心が山形状に突出させたもので、下縁に刃２１を形成し、上部の交差中心に上面中心に打撃受け部２２を突設し、前記枠部１の内周面に各刃板の端面を溶着し、枠部１と一体にしたものである。
【００１５】
把手部３は、枠部１の外周対向位置に突設したもので、当該位置に心棒部３１を溶接すると共に、心棒部３１の外面を、柔軟性を備えたゴム質材の被覆層部３２で被覆してなるものである。
【００１６】
而して前記器具は、下方に突出した切断刃部２３の中心を竹材Ａの切り口の中心と一致させ、打撃受け部２２に対してハンマーＢで打撃を加え、切断刃部２の刃２１を竹材Ａの小口に喰い込ませ、或いはある程度切り込み、そして把手部３を持って竹材と共に持ち上げ全体を適宜な台面に打ち付けて、切断刃部２によって竹材を四分割するものである。
【００１７】
勿論本考案に係る竹割具は、竹材の四分割用器具に限定されるものではなく、切断刃部３を三方、五方、六方等の放射状に形成することで、三分割用器具、五分割用器具、六分割用器具とすることができるものである。
【図面の簡単な説明】
【００１８】
【図１】本考案の実施形態の一部切断した正面図。
【図２】同平面図。
【図３】同下方斜視図。
【図４】同使用状態の説明図。
【符号の説明】
【００１９】
１          枠部
２          切断刃部
２１        刃
２２        打撃受け部
３          把手部
３１        心棒部
３２        被覆層部
【図１】
0003121394.tif 000003
【図２】
0003121394.tif 000004
【図３】
0003121394.tif 000005
【図４】
0003121394.tif 000006
(57)【要約】      （修正有）【課題】照明機能を持ったメガネフレームを提供する。【解決手段】メガネフレームのテンプル１内の前端寄り部分に、前方に向かって光を照射する様に発光体５を取り付けると共に、モダン２内の後端寄りの部分にボタン型電池６を着脱自在に装着し、ボタン型電池６から発光体５に電流を供給し得る様にして照明機能を有するメガネフレームを構成した。【選択図】図１
0003121995.tif 000002
【実用新案登録請求の範囲】
【請求項１】
メガネフレームのテンプル１内の前端寄り部分に、前方に向かって光を照射する様に発光体５を取り付けると共に、モダン２内の後端寄りの部分にボタン型電池６を着脱自在に装着し、該ボタン型電池６から前記発光体５に電流を供給し得る様にしたことを特徴とする照明機能を有するメガネフレーム。
【考案の詳細な説明】
【技術分野】
【０００１】
この考案はメガネフレーム、詳しくは、照明機能を持ったメガネフレームに関するものである。
【背景技術】
【０００２】
メガネフレームは、レンズを装着して視力矯正の用に供するものであり、日常生活においてなくてはならない生活必需品である。
【特許文献１】なし
【非特許文献１】なし
【考案の開示】
【考案が解決しようとする課題】
【０００３】
最近では、メガネフレームについても、その機能を向上させる為、様々な工夫がなされているが、その多くはメガネそれ自体本来的に持つべき機能の向上、たとえば、装着感の向上、ズレ防止、などについてのものであり、メガネに別の機能を付加することを目的としたものではなかった。
【０００４】
メガネは体の一部であると言えるほど日常的に広く装用している器具であり、これに別の有用な機能を併存させれば、日常生活がより一層便利になることは言うまでもない。本考案者は、この発想に基づいて鋭意研究を行った結果、照明機能を有する便利なメガネフレームを開発することに成功し、本考案としてここに提案するものである。
【課題を解決するための手段】
【０００５】
メガネフレームのテンプル１内の前端寄りの部分に、前方に向かって光りを照射する様に発光体５を取り付けると共に、モダン２内の後端寄りの部分にボタン型電池６を着脱自在に装着し、該ボタン型電池６から前記発光体５に電流を供給し得る様にすることにより、上記課題を解決した。
【実施例】
【０００６】
図１はこの考案に係るメガネフレームの一実施例の内部を透視して描いた斜視図である。図中１はテンプル、２はモダン、３はレンズ枠、４はノーズパッドであり、これらによってメガネフレーム全体が構成されている。そして、テンプル１内の前端寄りの部分には、発光体５がその発光面８を前方に向けて露出した状態で取り付けられている。一方、モダン２内の後端寄りの部分にはボタン型電池６が着脱自在に装着されており、このボタン型電池６と前記発光体５とは導線７で接続され、ボタン型電池６から発光体５に電流が供給される様になっている。この実施例においては、発光体５として発光ダイオードを用いたが、豆電球やそのほかの発光体を用いても良いことはもちろんである。
【０００７】
なお、図面では省略したが、ボタン型電池６と発光体５との間にはスイッチが介在せしめられており、これにより発光体５への電流の供給を任意に遮断出来る様になっている。
【０００８】
この実施例は上述の通りの構成を有するものであり、図示を省略したスイッチをＯＮにすれば、ボタン型電池６から発光体５に電流が供給され、発光体５は発光し、その発光面８から前方に向かって光が照射される。従って、このメガネフレームを装用していれば、暗い場所でも前方が明るく照射されるので、懐中電灯などを持つ必要がなく、両手が自由となり、作業や読書などの際、大いに助けとなる。
【０００９】
又、発光面８が明るく光るので、夜間屋外においては、装用している者を目立たせることが出来、歩行中の交通事故などの防止にも大いに効果がある。更に、発光ダイオードを発光体５として用いた場合は、電力消費が極めて少ない上に、長寿命であり、耐久性に富み、ほとんど故障するおそれがない。又、電源としてコンパクトなボタン型電池６を用いているので、軽量で外観上の違和感もなく、重量の増加も極くわずかで、従来の普通のメガネフレームと同様、手軽に装用することが出来る。
【図面の簡単な説明】
【００１０】
【図１】この考案に係る照明機能を有するメガネフレームの一実施例の内部を透視して描いたその斜視図。
【符号の説明】
【００１１】
１    テンプル
２    モダン
３    レンズ枠
４    ノーズパッド
５    発光体
６    ボタン型電池
７    導線
８    発光面
【図１】
0003121995.tif 000003
(57)【要約】      （修正有）【課題】装着の容易さとズレや脱落の防止と両立する。【解決手段】ヘラ型に形成されたモダン２の側面後端寄りの部分に、表裏を貫通する窓部３を設け、窓部３の中に円柱状をなしたローラー４を縦置き状態で、その周面５の一部が裏面側に突出し、かつ後方方向にのみ回転し、前方方向へは回転しない様にワンウェイクラッチ機構を伴って軸支してメガネフレームを構成した。【選択図】図１
0003121996.tif 000002
【実用新案登録請求の範囲】
【請求項１】
ヘラ型に形成されたモダン２の側面後端寄りの部分に、表裏を貫通する窓部３を設け、該窓部３の中に円柱状をなしたローラー４を縦置き状態で、その周面５の一部が裏面側に突出し、かつ後方方向にのみ回転し、前方方向へは回転しない様にワンウェイクラッチ機構を伴って軸支したことを特徴とするメガネフレーム。
【考案の詳細な説明】
【技術分野】
【０００１】
この考案はメガネフレーム、詳しくは、装着しやすく、はずれにくい、フィット性にすぐれたメガネフレームに関するものである。
【背景技術】
【０００２】
メガネフレームはノーズパッドとモダンによって装用者の顔面の所定位置に保持される様になっており、装用中にズレたり脱落しないことが肝要である。
【特許文献１】なし
【非特許文献１】なし
【考案の開示】
【考案が解決しようとする課題】
【０００３】
しかしながら、装用中のズレや脱落を防止するのは殊の外むずかしく、従来から数々の考案が提案されている。モダンの形状や材質について工夫し、装用中の保持を確実にする試みは従来から多く行われているが、モダンによる保持の確実性の追求と装着の容易さはなかなか両立せず、確実な保持を実現し得るモダンは、装着に手間がかかる傾向が強く、なかなか満足すべきモダンは見当たらなかった。
【０００４】
本考案者は、装着が容易であるにかかわらず、保持が確実なモダンを実現すべく鋭意研究を行った結果、本考案を完成させるに至り、ここに提案するものである。
【課題を解決するための手段】
【０００５】
ヘラ型に形成されたモダン２の側面後端寄りの部分に、表裏を貫通する窓部３を設け、該窓部３の中に円柱状をなしたローラー４を縦置き状態で、その周面５の一部が裏面側に突出し、かつ後方方向にのみ回転し、前方方向へは回転しない様にワンウェイクラッチ機構を伴って軸支してメガネフレームを構成することにより、上記課題を解決した。
【実施例】
【０００６】
図１はこの考案に係るメガネフレームの一実施例の全体の斜視図、図２はその要部の拡大側面図、図３は同じくその拡大平面図、図４は同じくその拡大断面図である。
【０００７】
図中１はテンプルであり、該テンプル１の後端にはモダン２が接続されている。モダン２は図示の通り扁平ヘラ型をなしており、装用者の耳に係合する様に、下方に向かって弯曲していると共に、装用者の頭部を挟持する様に、内側に向かって付勢されている。
【０００８】
そして、このモダン２の側面後端寄りの部分にはその表裏を貫通する方形の窓部３が設けられている。一方、４は丈の短い円柱状をなしたローラーであり、図３に示す様に、その周面５の一部が裏面側、即ち、装用者の頭部寄りの方向に突出する様に、縦置き状態で枢支軸６で軸支されている。又、このローラー４には、図４に示す様に、つめ車７が同軸状に固定されており、つめ車７につめ８の先端部を係合させることにより、ローラー４は後方方向、（図４において時計回り方向）にのみ回転し、前方方向（図４において反時計回り方向）には回転しない様になっている。つまり、つめ車７とつめ８とによってワンウェイクラッチ機構が構成されているのである。なお、上記実施例においてはモダン２に軸支したローラー４は一個であるが、図５に示すものの様に、モダン２に複数個のローラー４を軸支しても良い。
【０００９】
この実施例は上記の通りの構成を有し、ローラー４はモダン２の側面から内側にその周面５の一部が突出しているので、このメガネフレームを装用しようとするときには、ローラー４は装用者の側頭部表面に接触し、側頭部表面との摩擦によって後方方向に回転しながら移動し、モダン２が装用者の耳に係合した所定位置で停止する。この状態で、メガネフレームは安定的に保持されたことになり、使用に供される。そして、使用中に何らかの振動や前方向への力が加わったとしても、ローラー４はつめ車７とつめ８とによって構成されているワンウェイクラッチ機構によって前方向には回転しない様になっているので、このローラー４が抵抗体となってメガネフレームが前方方向つまりメガネフレームをはずす方向へ移動することは制限され、メガネフレームの安定的な保持が維持される。
【００１０】
つまり、このメガネフレームにおいては、装用は容易かつスムースに行われるが、ローラー４の作用によりはずす方向へ動こうとするときには大きな抵抗力が生じるのである。従って、メガネフレームの保持はより一層確実なものとなり、使用中のズレや脱落を防止する上で極めて効果的である。
【図面の簡単な説明】
【００１１】
【図１】この考案に係るメガネフレームの一実施例の全体の斜視図。
【図２】その要部の拡大側面図。
【図３】同じく、その要部の拡大平面図。
【図４】同じく、その要部の拡大断面図。
【図５】モダン２に複数のローラー４を軸支した実施例の部分拡大平面図。
【符号の説明】
【００１２】
１    テンプル
２    モダン
３    窓部
４    ローラー
５    周面
６    枢支軸
７    つめ車
８    つめ
【図１】
0003121996.tif 000003
【図２】
0003121996.tif 000004
【図３】
0003121996.tif 000005
【図４】
0003121996.tif 000006
【図５】
0003121996.tif 000007